(57)【要約】【課題】異なる経路を用いて変調信号を処理する場合において、経路切り替え時に発生する信号の重複や欠損を抑圧すること。【解決手段】ベースバンド変調部１１０は、変調帯域幅が異なる複数の変調方式に対応し、第１の変調信号又は第２の変調信号のうち、いずれか一方の変調信号を出力する。ＬＰＦ１３０−１，１３０−２は、それぞれ、遅延量Δｔｄ１，Δｔｄ２を有し、第１、第２の変調信号に対して信号処理を行う。タイミング制御部１６０は、変調方式及び変調方式の切り替えタイミングを設定する。さらに、タイミング制御部１６０は、変調方式の切り替えタイミング及び遅延量Δｔｄ１，Δｔｄ２に基づいて、変調信号選択スイッチ１２０の切り替えタイミングと、信号処理遅延調整スイッチ１４０の切り替えタイミングとを異なるタイミングに設定する。【選択図】図２
2012060364.tif 000002
【特許請求の範囲】
【請求項１】
異なる複数の変調方式に対応し、第１の変調方式に対応する第１の変調信号、又は、第２の変調方式に対応する第２の変調信号のうち、いずれか一方の変調信号を生成する変調部と、
第１の遅延量を有し、前記第１の変調信号に対して信号処理を行う第１の信号処理部と、
前記第１の遅延量より大きい第２の遅延量を有し、前記第２の変調方式に対して信号処理を行う第２の信号処理部と、
信号処理後の前記第１の変調信号又は前記第２の変調信号を送信する送信部と、
前記変調部と前記第１及び第２の信号処理部との間に設けられ、前記変調信号を前記第１又は第２の信号処理部のいずれか一方に出力する第１のスイッチと、
前記第１の信号処理部及び前記第２の信号処理部と前記送信部との間に設けられ、前記信号処理後の前記第１の変調信号又は前記第２の変調信号のいずれか一方を前記送信部に出力する第２のスイッチと、
前記変調部において変調信号の生成に用いる変調方式を設定し、前記第１の遅延量及び第２の遅延量に基づいて、前記第１のスイッチの切り替えタイミングを設定し、少なくとも前記第１のスイッチ切り替えタイミング及び前記第１の遅延量に基づいて、前記第１のスイッチの切り替えタイミングと異なる前記第２のスイッチの切り替えタイミングを設定する制御部と、
を具備するマルチモード送信装置。
【請求項２】
前記制御部は、前記変調方式を前記第１変調方式から前記第２変調方式に切り替える場合、前記第１のスイッチの切り替えタイミングから前記第１の遅延量以上かつ前記第２の遅延量未満経過したタイミングを、前記第２のスイッチの切り替えタイミングに設定する、
請求項１に記載のマルチモード送信装置。
【請求項３】
前記制御部は、
前記変調方式を前記第２変調方式から前記第１変調方式に切り替える場合、前記第１のスイッチの切り替えタイミングから前記第１の遅延量経過したタイミングを、前記第２のスイッチの切り替えタイミングに設定する、
請求項１に記載のマルチモード送信装置。
【請求項４】
異なる複数の変調方式に対応し、第１の変調方式に対応する第１の変調信号、及び、第２の変調方式に対応する第２の変調信号を並列して生成し、少なくともいずれか一方の変調信号を出力する変調部と、
第１の遅延量を有し、前記第１の変調信号に対して信号処理を行う第１の信号処理部と、
前記第１の遅延量より大きい第２の遅延量を有し、前記第２の変調方式に対して信号処理を行う第２の信号処理部と、
信号処理後の前記第１の変調信号又は前記第２の変調信号を送信する送信部と、
前記第１の信号処理部及び前記第２の信号処理部と前記送信部との間に設けられ、前記信号処理後の前記第１の変調信号又は前記第２の変調信号のいずれか一方を前記送信部に出力するスイッチと、
前記変調部において変調信号の生成に用いる変調方式を設定し、前記第１の遅延量及び第２の遅延量に基づいて、前記変調部から前記第１の変調信号及び前記第２の変調信号のいずれか一方の出力から両方の出力に切り替える変調信号出力数切り替えタイミングを設定し、前記第１の遅延量及び前記第２の遅延量のいずれかと前記変調信号出力数切り替えタイミングとに基づいて、前記スイッチの切り替えタイミングを設定する制御部と、
を具備するマルチモード送信装置。
【請求項５】
前記制御部は、
前記変調方式を前記第１変調方式から前記第２変調方式に切り替える場合、前記変調信号出力数切り替えタイミングから前記第２の遅延量経過したタイミングを、前記スイッチの切り替えタイミングに設定する、
請求項４に記載のマルチモード送信装置。
【請求項６】
前記制御部は、
前記変調方式を前記第２変調方式から前記第１変調方式に切り替える場合、前記変調信号出力数切り替えタイミングから前記第１の遅延量経過したタイミングを、前記スイッチの切り替えタイミングに設定する、
請求項４に記載のマルチモード送信装置。
【請求項７】
前記変調部は、ベースバンド帯域で動作する、
請求項１又は請求項４に記載のマルチモード送信装置。
【請求項８】
複数の前記信号処理部は、通過帯域が異なるフィルタ回路であり、
前記第１の変調信号又は前記第２の変調信号に対して帯域制限を行う、
請求項１又は請求項４に記載のマルチモード送信装置。
【請求項９】
前記変調部は、無線周波数帯域で動作する、
請求項１又は請求項４に記載のマルチモード送信装置。
【請求項１０】
前記第１の変調信号は、ＵＭＴＳ信号であり、前記第２の変調信号はＧＳＭ信号である、
請求項１又は請求項４に記載のマルチモード送信装置。
【発明の詳細な説明】
【技術分野】
【０００１】
本発明は、複数のディジタル信号処理された信号を異なる遅延量を持つ複数の経路で信号処理する、マルチモード送信装置に関する。
【背景技術】
【０００２】
現在、無線通信方式の高機能化や多様化の進展に伴い、複数の変調方式、変調帯域幅、ユーザチャネルを、同一の信号処理回路で扱う方式の検討が進められている。ディジタル信号処理回路と信号処理経路を切り替えるスイッチを組み合わせる技術も、一手法として提案されている。従来のマルチモード送信装置としては、同一の信号を変調する２つの変調部と異なる経路とアンテナを持つ複数の送信部とをセレクタで接続し、送信部の遅延量に応じて、変調部のフレームタイミングを調整するものがあった（例えば、特許文献１参照）。これにより、特許文献１に記載のマルチモード送信装置は、装置全体の遅延量を一定に保つ効果を作用として有する。図１は、前記特許文献１に記載された従来のマルチモード送信装置を示す。
【０００３】
図１に示す従来のマルチモード送信装置では、移動局がソフトハンドオフを行う場合に、基地局で生成された同一の信号が変調部１３Ａと変調部１３Ｂとを通り、異なる経路を経て２つのアンテナから送信される。このとき、制御部１１は、セレクタ１４の前段に設けられたディジタル回路とセレクタ１４の後段に設けられたアナログ回路とにおける信号の経路の違いによる遅延を調整する。制御部１１は、クロック発生部１７に対して信号遅延を見越したフレームクロックを発生させる一方、変調部１３Ａ，１３Ｂに対して信号の経路に応じた信号供給タイミングの調整を行う。
【先行技術文献】
【特許文献】
【０００４】
【特許文献１】特開２０００−４１９５号公報（図２）
【発明の概要】
【発明が解決しようとする課題】
【０００５】
しかしながら、前記従来の構成では、セレクタの後段に設けられた各送信部は独立して動作するため、各送信部の経路間に遅延差がある場合、切り替え時に信号の重複や欠損が発生するという課題を有していた。
【０００６】
本発明の目的は、異なる経路を用いて信号処理する場合において、経路切り替え時に発生する信号の重複や欠損を抑圧することができるマルチモード送信装置を提供することである。
【課題を解決するための手段】
【０００７】
本発明のマルチモード送信装置の一つの態様は、異なる複数の変調方式に対応し、第１の変調方式に対応する第１の変調信号、又は、第２の変調方式に対応する第２の変調信号のうち、いずれか一方の変調信号を生成する変調部と、第１の遅延量を有し、前記第１の変調信号に対して信号処理を行う第１の信号処理部と、前記第１の遅延量より大きい第２の遅延量を有し、前記第２の変調方式に対して信号処理を行う第２の信号処理部と、信号処理後の前記第１の変調信号又は前記第２の変調信号を送信する送信部と、前記変調部と前記第１及び第２の信号処理部との間に設けられ、前記変調信号を前記第１又は第２の信号処理部のいずれか一方に出力する第１のスイッチと、前記第１の信号処理部及び前記第２の信号処理部と前記送信部との間に設けられ、前記信号処理後の前記第１の変調信号又は前記第２の変調信号のいずれか一方を前記送信部に出力する第２のスイッチと、前記変調部において変調信号の生成に用いる変調方式を設定し、前記第１の遅延量及び第２の遅延量に基づいて、前記第１のスイッチの切り替えタイミングを設定し、少なくとも前記第１のスイッチ切り替えタイミング及び前記第１の遅延量に基づいて、前記第１のスイッチの切り替えタイミングと異なる前記第２のスイッチの切り替えタイミングを設定する制御部と、を具備する。
【０００８】
この構成によれば、第１の変調信号と第２の変調信号との重複を回避することができる。さらに、遅延量が大きい第２の信号処理部を通過する経路から遅延量が小さい第１の信号処理部を通過する経路に切り替える際には、信号の欠損を回避することができる。
【０００９】
本発明のマルチモード送信装置の一つの態様は、異なる複数の変調方式に対応し、第１の変調方式に対応する第１の変調信号、及び、第２の変調方式に対応する第２の変調信号を並列して生成し、少なくともいずれか一方の変調信号を出力する変調部と、第１の遅延量を有し、前記第１の変調信号に対して信号処理を行う第１の信号処理部と、前記第１の遅延量より大きい第２の遅延量を有し、前記第２の変調方式に対して信号処理を行う第２の信号処理部と、信号処理後の前記第１の変調信号又は前記第２の変調信号を送信する送信部と、前記第１の信号処理部及び前記第２の信号処理部と前記送信部との間に設けられ、前記信号処理後の前記第１の変調信号又は前記第２の変調信号のいずれか一方を前記送信部に出力するスイッチと、前記変調部において変調信号の生成に用いる変調方式を設定し、前記第１の遅延量及び第２の遅延量に基づいて、前記変調部から前記第１の変調信号及び前記第２の変調信号のいずれか一方の出力から両方の出力に切り替える変調信号出力数切り替えタイミングを設定し、前記第１の遅延量及び前記第２の遅延量のいずれかと前記変調信号出力数切り替えタイミングとに基づいて、前記スイッチの切り替えタイミングを設定する制御部と、を具備する。
【００１０】
この構成によれば、遅延量が小さい第１の信号処理部を通過する経路から遅延量大きい第２の信号処理部を通過する経路に切り替える際にも、信号の欠損を回避することができる。
【発明の効果】
【００１１】
本発明によれば、異なる経路を用いて信号処理する場合において、経路切り替え時に発生する信号の重複や欠損を抑圧することができる。この結果、複数の変調方式を扱う送信変調回路の共有回路部分の割合を向上することができ、より回路利用効率の高いマルチモード送信装置を提供することができる。
【図面の簡単な説明】
【００１２】
【図１】従来のマルチモード送信装置の構成図
【図２】本発明の実施の形態１に係るマルチモード送信装置の構成図
【図３】実施の形態１に係るマルチモード送信装置の制御タイミング図
【図４】実施の形態１に係るマルチモード送信装置の制御タイミング図
【図５】本発明の実施の形態２に係るマルチモード送信装置の構成図
【図６】実施の形態２に係るマルチモード送信装置の制御タイミング図
【図７】実施の形態２に係るマルチモード送信装置の制御タイミング図
【発明を実施するための形態】
【００１３】
以下、本発明の実施の形態について、図面を参照して詳細に説明する。
【００１４】
（実施の形態１）
図２は、本発明の実施の形態１に係るマルチモード送信装置の要部構成を示すブロック図である。図２に係るマルチモード送信装置１００は、変調方式１及び変調方式２の変調方式に対応する。なお、本実施の形態では、変調方式１の変調帯域幅が変調方式２の変調帯域幅より広い場合を例に説明する。例えば、変調方式１がＵＭＴＳ（Universal Mobile Telephone Service）変調方式であり、変調方式２がＧＳＭ（Global System for Mobile Communications）変調方式の場合、変調方式１の変調帯域幅が変調方式２の変調帯域幅より広い。
【００１５】
図２に示すマルチモード送信装置１００は、ベースバンド変調部１１０と、変調信号選択スイッチ１２０と、信号処理部であるローパスフィルタ（ＬＰＦ：Low Pass Filter）１３０−１，１３０−２と、信号処理遅延調整スイッチ１４０と、無線送信処理部１５０と、タイミング制御部１６０と、を有する。
【００１６】
ベースバンド変調部１１０は、複数の変調方式（変調方式１及び変調方式２）に対応する。そして、ベースバンド変調部１１０は、後述のタイミング制御部１６０から出力される制御信号１６１に応じた変調方式（変調方式１又は変調方式２）を用いて、送信データを変調してベースバンド信号（Ｉ，Ｑ信号）を生成する。そして、ベースバンド変調部１１０は、変調方式１を用いて送信データを変調することにより得られるベースバンド信号１、又は、変調方式２を用いて送信データを変調することにより得られるベースバンド信号２のうち、いずれか一方を変調信号選択スイッチ１２０に出力する。
【００１７】
変調信号選択スイッチ１２０は、後述のタイミング制御部１６０から出力される制御信号１６２に基づいて、ベースバンド信号の出力先を、後述のＬＰＦ１３０−１又はＬＰＦ１３０−２のいずれか一方に切り替える。なお、以下では、ＬＰＦ１３０−１を通過する経路を経路１と呼び、ＬＰＦ１３０−２を通過する経路を経路２と呼ぶ。
【００１８】
ＬＰＦ１３０−１は、信号処理として、変調方式１に対応するベースバンド信号１に帯域制限を行い、帯域制限後のベースバンド信号１を信号処理遅延調整スイッチ１４０に出力する。ＬＰＦ１３０−１は、変調方式１に対応した周波数特性を持つ。
【００１９】
ＬＰＦ１３０−２は、信号処理として、変調方式２に対応するベースバンド信号２に帯域制限を行い、帯域制限後のベースバンド信号２を信号処理遅延調整スイッチ１４０に出力する。ＬＰＦ１３０−２は、変調方式２に対応した周波数特性を持つ。
【００２０】
すなわち、ＬＰＦ１３０−１とＬＰＦ１３０−２とは、異なる通過帯域特性を有する。そのため、ＬＰＦ１３０−１とＬＰＦ１３０−２とでは、遅延量が異なる。上述したように、変調方式１の変調帯域幅が変調方式２の変調帯域幅より広い。したがって、変調方式１に対応した周波数特性を有するＬＰＦ１３０−１の遅延量Δｔｄ１は、変調方式２に対応した周波数特性を有するＬＰＦ１３０−２の遅延量Δｔｄ２より小さい。
【００２１】
信号処理遅延調整スイッチ１４０は、ＬＰＦ１３０−１及びＬＰＦ１３０−２の後段に設けられ、制御信号１６３に基づいて、ＬＰＦ１３０−１又はＬＰＦ１３０−２において帯域制限されたベースバンド信号１又はベースバンド信号２のいずれか一方を選択する。すなわち、信号処理遅延調整スイッチ１４０は、制御信号１６３に応じて、直交変調部１５１の入力元をＬＰＦ１３０−１又はＬＰＦ１３０−２のいずれか一方に切り替える。そして、信号処理遅延調整スイッチ１４０は、選択したＬＰＦ１３０−１又はＬＰＦ１３０−２において帯域制限されたベースバンド信号を無線送信処理部１５０に出力する。
【００２２】
無線送信処理部１５０は、直交変調部１５１と、帯域制限フィルタ（ＢＰＦ：Band Pass Filter）１５２と、電力増幅器１５３と、アンテナ１５４と、を有する。
【００２３】
直交変調部１５１は、ベースバンド信号に対して直交変調を行って、変調信号を生成し、変調信号をＲＦ帯にアップコンバートして送信信号を生成する。直交変調部１５１は、送信信号をＢＰＦ１５２に出力する。
【００２４】
ＢＰＦ１５２は、送信信号に帯域制限を行い、帯域制限後の送信信号を電力増幅器１５３に出力する。
【００２５】
電力増幅器１５３は、帯域制限後の送信信号の出力パワーを所望のパワーまで増幅して、増幅後の送信信号を送信アンテナ１５４を介して送信する。
【００２６】
このように、無線送信処理部１５０は、信号処理遅延調整スイッチ１４０から出力されたベースバンド信号に対して無線送信処理を行って送信信号を生成し、送信する。
【００２７】
タイミング制御部１６０は、ベースバンド変調部１１０の変調方式、変調信号選択スイッチ１２０及び信号処理遅延調整スイッチ１４０を制御する。
【００２８】
具体的には、タイミング制御部１６０は、変調方式及びその切り替えタイミングを示す制御信号１６１をベースバンド変調部１１０に出力する。制御信号１６１については、後述する。
【００２９】
また、タイミング制御部１６０は、経路の切り替え（選択）及びその切り替え（選択）タイミングを示す制御信号１６２を変調信号選択スイッチ１２０に出力する。制御信号１６２については、後述する。
【００３０】
また、タイミング制御部１６０は、直交変調部１５１の入力元の切り替え及びその切り替えタイミングを示す制御信号１６３を信号処理遅延調整スイッチ１４０に出力する。制御信号１６３については、後述する。
【００３１】
以上のように構成されたマルチモード送信装置１００の動作について説明する。
【００３２】
図３、図４は、本実施の形態に係るマルチモード送信装置１００の各部の入出力信号を示す図である。図３、図４には、ベースバンド変調部１１０の出力、変調信号選択スイッチ１２０により選択される経路、信号処理遅延調整スイッチ１４０により選択される経路、及び、直交変調部１５１に入力される変調信号が示されている。上述したように、図３及び図４において、経路１は、ベースバンド信号がＬＰＦ１３０−１を通過する経路を示し、経路２はベースバンド信号がＬＰＦ１３０−２を通過する経路を示している。
【００３３】
なお、図３は、変調方式が変調方式１から変調方式２に変わる場合の例を示し、図４は、変調方式が変調方式２から変調方式１に変わる場合の例を示している。
【００３４】
以下、具体的な例として、ベースバンド変調部１１０の対応する変調方式をＵＭＴＳ変調方式（以下、変調方式１）とＧＳＭ変調方式（以下、変調方式２）の２種類とし、ＬＰＦ１３０−１が変調方式１に対応した周波数特性を持ち、ＬＰＦ１３０−２が変調方式２に対応した周波数特性を持つ場合の動作について説明する。
【００３５】
初めに、図３を用いて、変調方式が変調方式１から変調方式２に変わる場合の制御方法について説明する。上述したように変調方式１の変調帯域幅が、変調方式２の変調帯域幅より広帯域であるため、ＬＰＦ１３０−１の遅延量Δｔｄ１はＬＰＦ１３０−２の遅延量Δｔｄ２より小さい。
【００３６】
タイミング制御部１６０は、変調方式を変調方式１から変調方式２に切り替える場合、レベルをＨｉｇｈからＬｏｗに変化させた制御信号１６１をベースバンド変調部１１０に出力する。図３は、タイミング制御部１６０から、時刻０（以下、基準時刻という）で、レベルがＨｉｇｈからＬｏｗに変化する制御信号１６１がベースバンド変調部１１０に出力された例である。
【００３７】
ベースバンド変調部１１０は、制御信号１６１のレベルがＨｉｇｈからＬｏｗに変化する時刻０（基準時刻）で、変調方式を変調方式１から変調方式２に切り替える。そして、ベースバンド変調部１１０は、送信データに対して変調方式２を用いて変調し、ベースバンド信号２を生成し、生成したベースバンド信号２を変調信号選択スイッチ１２０に出力する。
【００３８】
ここで、ベースバンド変調部１１０が、時刻０で変調方式の切り替え指示を受けてから、送信データに対して変調方式２を用いて変調しベースバンド信号２を生成し、ベースバンド信号２を変調信号選択スイッチ１２０に出力するまでに要する時間をｔ１とする。つまり、ベースバンド変調部１１０の遅延量がｔ１となる。
【００３９】
なお、ベースバンド変調部１１０は、変調方式１を用いる場合には、変調方式２を用いる場合に対して、ＬＰＦ１３０−１とＬＰＦ１３０−２の遅延量の差（Δｔｄ２−Δｔｄ１）を考慮したタイミングで、送信データを変調する。したがって、変調方式の切り替え指示を受け取る時刻０からｔ１だけ遅れた時刻ｔ１に、切り替え後のベースバンド信号がベースバンド変調部１１０から出力される。
【００４０】
なお、ベースバンド変調部１１０は、変調方式１及び変調方式２のいずれを用いる場合にも、変調方式の切り替え指示を受け付けてから、時刻ｔ１で異なる変調方式を用いて変調されたベースバンド信号が出力するように、変調タイミングを予め調整している。
【００４１】
このように、ベースバンド変調部１１０が、時刻０に変調方式を変調方式１から変調方式２に切り替える場合、時刻ｔ１にベースバンド信号２が変調信号選択スイッチ１２０に出力される。また、時刻ｔ１より前の時刻では、ベースバンド信号１が変調信号選択スイッチ１２０に出力される。
【００４２】
次に、タイミング制御部１６０は、ベースバンド信号２をＬＰＦ１３０−２に出力させるため、レベルをＨｉｇｈからＬｏｗに変化させた制御信号１６２を変調信号選択スイッチ１２０に出力する。なお、タイミング制御部１６０は、時刻ｔ１でレベルがＨｉｇｈからＬｏｗに変化する制御信号１６２を変調信号選択スイッチ１２０に出力する。ここで、時刻ｔ１は、上述したように、ベースバンド変調部１１０が、時刻０で変調方式の切り替え指示を受け取ってから変調信号選択スイッチ１２０の入力信号がベースバンド信号２に切り替わるまでの処理遅延分だけ遅れた時刻である。
【００４３】
変調信号選択スイッチ１２０は、制御信号１６２のレベルがＨｉｇｈからＬｏｗに変化する時刻ｔ１で、ベースバンド信号の出力先をＬＰＦ１３０−１からＬＰＦ１３０−２に切り替える。これにより、時刻ｔ１以降、ベースバンド信号２はＬＰＦ１３０−２に出力され、経路２を通過する。なお、時刻０から時刻ｔ１までの間、ベースバンド信号１はＬＰＦ１３０−１に出力され、経路１を通過する。
【００４４】
このようにして、タイミング制御部１６０は、ベースバンド変調部１１０が変調方式の切り替え指示を受け取ってから、変調信号選択スイッチ１２０に入力される信号が、ベースバンド信号１からベースバンド信号２に切り替わるまでの処理遅延分だけ遅れた時刻ｔ１で、ベースバンド変調部１１０の出力先を制御する。具体的には、タイミング制御部１６０は、ベースバンド変調部１１０において生成されたベースバンド信号の出力先をＬＰＦ１３０−１からＬＰＦ１３０−２に切り替える。これにより、時刻ｔ１で、ベースバンド信号２がＬＰＦ１３０−２に出力されるようになる。そして、ＬＰＦ１３０−２において、ベースバンド信号２が帯域制限される。
【００４５】
次に、タイミング制御部１６０は、帯域制限後のベースバンド信号２を直交変調部１５１に出力させるため、レベルをＨｉｇｈからＬｏｗに変化させた制御信号１６３を信号処理遅延調整スイッチ１４０に出力する。なお、タイミング制御部１６０は、時刻ｔ２でレベルがＨｉｇｈからＬｏｗに変化する制御信号１６３を信号処理遅延調整スイッチ１４０に出力する。ここで、時刻ｔ２は、時刻ｔ１から遅延量Δｔｄ１だけ経過した時刻（ｔ２＝ｔ１＋Δｔｄ１）とする。遅延量Δｔｄ１は、ベースバンド信号１がＬＰＦ１３０−１に入力してからＬＰＦ１３０−１から出力されるまでの時間、すなわち、信号処理部であるＬＰＦ１３０−１における遅延量である。
【００４６】
信号処理遅延調整スイッチ１４０は、制御信号１６３のレベルがＨｉｇｈからＬｏｗに変化する時刻ｔ２（＝ｔ１＋Δｔｄ１）で、直交変調部１５１の入力元をＬＰＦ１３０−１からＬＰＦ１３０−２に切り替える。すなわち、時刻ｔ２（＝ｔ１＋Δｔｄ１）以降、ＬＰＦ１３０−２において帯域制限されたベースバンド信号２が、直交変調部１５１に出力される。
【００４７】
なお、時刻０から時刻ｔ２までの間、信号処理遅延調整スイッチ１４０は、直交変調部１５１の入力元をＬＰＦ１３０−１とする。すなわち、この間、ＬＰＦ１３０−１において帯域制限されたベースバンド信号１が、直交変調部１５１に出力される。
【００４８】
このように、信号処理遅延調整スイッチ１４０は、時刻ｔ２で直交変調部１５１の入力元をＬＰＦ１３０−１からＬＰＦ１３０−２に切り替える。このとき、ＬＰＦ１３０−２において帯域制限されたベースバンド信号２が直交変調部１５１に到着するのは、時刻ｔ３（＝ｔ１＋Δｔｄ２）である。ここで、Δｔｄ２は、信号処理部であるＬＰＦ１３０−２の遅延量である。つまり、時刻ｔ２から時刻ｔ３までは、ＬＰＦ１３０−２から直交変調部１５１には無信号が入力される。そして、時刻ｔ３以降、ＬＰＦ１３０−２から直交変調部１５１に帯域制限後のベースバンド信号２が入力される（図３参照）。
【００４９】
このように、タイミング制御部１６０は、ＬＰＦ１３０−１の遅延量Δｔｄ１に基づいた時刻ｔ２（＝ｔ１＋Δｔｄ１）で、直交変調部１５１の入力元を、ＬＰＦ１３０−１からＬＰＦ１３０−２に切り替える。具体的には、タイミング制御部１６０は、ＬＰＦ１３０−１の遅延量Δｔｄ１に基づいた時刻ｔ２（＝ｔ１＋Δｔｄ１）でレベルがＨｉｇｈからＬｏｗに変化する制御信号１６３を信号処理遅延調整スイッチ１４０に出力する。
【００５０】
そして、信号処理遅延調整スイッチ１４０は、変調信号選択スイッチ１２０の切り替え時刻ｔ１より遅延量Δｔｄ１だけ遅れた時刻ｔ２（＝ｔ１＋Δｔｄ１）で、直交変調部１５１の入力元をＬＰＦ１３０−１からＬＰＦ１３０−２に切り替える。このように、信号処理遅延調整スイッチ１４０は、変調方式の切り替え時刻０と、変調信号選択スイッチ１２０の切り替え時刻ｔ１と、遅延量Δｔｄ１，Δｔｄ２のうち値が小さい遅延量Δｔｄ１とに基づいた時刻ｔ２（＝ｔ１＋Δｔｄ１）で、直交変調部１５１の入力元を、切り替え後の変調方式２に対応するＬＰＦ１３０−２に切り替える。
【００５１】
これにより、変調方式が変調方式１から、変調帯域幅が変調方式１より狭い変調方式２に切り替わる場合に、直交変調部１５１に、ベースバンド信号１とベースバンド信号２とが重複して入力されるのを回避することができる。
【００５２】
なお、以上の説明では、タイミング制御部１６０が、時刻ｔ２（＝ｔ１＋Δｔｄ１）でレベルがＨｉｇｈからＬｏｗに変化する制御信号１６３を信号処理遅延調整スイッチ１４０に出力する場合について説明したが、これに限られない。上述したように、直交変調部１５１には、時刻ｔ２から時刻ｔ３までの間、無信号が入力される。そのため、タイミング制御部１６０が、時刻ｔ２（＝ｔ１＋Δｔｄ１）から時刻ｔ３までの間に、レベルがＨｉｇｈからＬｏｗに変化する制御信号１６３を信号処理遅延調整スイッチ１４０に出力するようにしてもよい。
【００５３】
信号処理遅延調整スイッチ１４０から出力されるベースバンド信号は、直交変調部１５１でＲＦ帯の送信信号にアップコンバートされ、ＢＰＦ１５２で帯域制限された後、電力増幅器１５３で所望の出力パワーまで増幅され、送信アンテナ１５４から送信される。
【００５４】
次に、図４を用いて、変調方式が変調方式２から変調方式１に変わる場合の制御方法について説明する。
【００５５】
タイミング制御部１６０は、変調方式を変調方式２から変調方式１に切り替える場合、レベルをＬｏｗからＨｉｇｈに変化させた制御信号１６１をベースバンド変調部１１０に出力する。図４は、タイミング制御部１６０から、時刻０（以下、基準時刻という）で、レベルがＬｏｗからＨｉｇｈに変化する制御信号１６１がベースバンド変調部１１０に出力された例である。
【００５６】
ベースバンド変調部１１０は、制御信号１６１のレベルがＬｏｗからＨｉｇｈに変化する時刻０（基準時刻）で、変調方式を変調方式２から変調方式１に切り替える。そして、ベースバンド変調部１１０は、送信データに対して変調方式１を用いて変調し、ベースバンド信号１を生成し、生成したベースバンド信号１を変調信号選択スイッチ１２０に出力する。
【００５７】
次に、タイミング制御部１６０は、ベースバンド信号１をＬＰＦ１３０−１に出力させるため、レベルをＬｏｗからＨｉｇｈに変化させた制御信号１６２を変調信号選択スイッチ１２０に出力する。なお、タイミング制御部１６０は、時刻ｔ１でレベルがＬｏｗからＨｉｇｈに変化する制御信号１６２を変調信号選択スイッチ１２０に出力する。ここで、時刻ｔ１は、ベースバンド変調部１１０からベースバンド信号１が変調信号選択スイッチ１２０に出力される時刻である。なお、ベースバンド変調部１１０は、変調方式１及び変調方式２のいずれを用いる場合にも、変調方式の切り替え指示を受け付けてから、時刻ｔ１で異なる変調方式を用いて変調されたベースバンド信号が出力するように、変調タイミングを予め調整している。
【００５８】
変調信号選択スイッチ１２０は、制御信号１６２のレベルがＬｏｗからＨｉｇｈに変化する時刻ｔ１で、ベースバンド信号の出力先をＬＰＦ１３０−２からＬＰＦ１３０−１に切り替える。これにより、時刻ｔ１以降、ベースバンド信号１はＬＰＦ１３０−１に出力され、経路１を通過する。なお、時刻０から時刻ｔ１までの間、ベースバンド信号２はＬＰＦ１３０−２に出力され、経路２を通過する。
【００５９】
このようにして、タイミング制御部１６０は、ベースバンド変調部１１０が変調方式の切り替え指示を受け取ってから、変調信号選択スイッチ１２０に入力される信号が、ベースバンド信号２からベースバンド信号１に切り替わるまでの処理遅延分だけ遅れた時刻ｔ１で、ベースバンド変調部１１０の出力先を制御する。具体的には、タイミング制御部１６０は、ベースバンド変調部１１０において生成されたベースバンド信号の出力先をＬＰＦ１３０−２からＬＰＦ１３０−１に切り替える。これにより、時刻ｔ１で、ベースバンド信号１がＬＰＦ１３０−１に出力されるようになる。そして、ＬＰＦ１３０−１において、ベースバンド信号１が帯域制限される。
【００６０】
次に、タイミング制御部１６０は、帯域制限後ベースバンド信号１を直交変調部１５１に出力させるため、レベルをＬｏｗからＨｉｇｈに変化させた制御信号１６３を信号処理遅延調整スイッチ１４０に出力する。なお、タイミング制御部１６０は、時刻ｔ２でレベルがＬｏｗからＨｉｇｈに変化する制御信号１６３を信号処理遅延調整スイッチ１４０に出力する。ここで、時刻ｔ２は、上述したように、時刻ｔ１から遅延量Δｔｄ１だけ経過した時刻（ｔ２＝ｔ１＋Δｔｄ１）とする。
【００６１】
信号処理遅延調整スイッチ１４０は、制御信号１６３のレベルがＬｏｗからＨｉｇｈに変化する時刻ｔ２（＝ｔ１＋Δｔｄ１）で、直交変調部１５１の入力元をＬＰＦ１３０−２からＬＰＦ１３０−１に切り替える。すなわち、時刻ｔ２（＝ｔ１＋Δｔｄ１）以降、ＬＰＦ１３０−１において帯域制限されたベースバンド信号１が、直交変調部１５１に出力される。
【００６２】
なお、時刻０から時刻ｔ２までの間、信号処理遅延調整スイッチ１４０は、直交変調部１５１の入力元をＬＰＦ１３０−２とする。すなわち、この間、ＬＰＦ１３０−２において帯域制限されたベースバンド信号２が、直交変調部１５１に出力される。
【００６３】
このように、信号処理遅延調整スイッチ１４０は、時刻ｔ２で直交変調部１５１の入力元をＬＰＦ１３０−２からＬＰＦ１３０−１に切り替える。このとき、ＬＰＦ１３０−１において帯域制限されたベースバンド信号１が直交変調部１５１に到着するのは、時刻ｔ２（＝ｔ１＋Δｔｄ１）である。つまり、時刻ｔ２以降、ＬＰＦ１３０−１から直交変調部１５１にベースバンド信号１が入力される（図４参照）。
【００６４】
このように、タイミング制御部１６０は、ＬＰＦ１３０−１の遅延量Δｔｄ１に基づいた時刻ｔ２（＝ｔ１＋Δｔｄ１）で、直交変調部１５１の入力元を、ＬＰＦ１３０−２からＬＰＦ１３０−１に切り替える。具体的には、タイミング制御部１６０は、ＬＰＦ１３０−１の遅延量Δｔｄ１に基づいた時刻ｔ２（＝ｔ１＋Δｔｄ１）でレベルがＬｏｗからＨｉｇｈに変化する制御信号１６３を信号処理遅延調整スイッチ１４０に出力する。
【００６５】
そして、信号処理遅延調整スイッチ１４０は、変調信号選択スイッチ１２０の切り替え時刻ｔ１より遅延量Δｔｄ１だけ遅れた時刻ｔ２（＝ｔ１＋Δｔｄ１）で、直交変調部１５１の入力元をＬＰＦ１３０−２からＬＰＦ１３０−１に切り替える。このように、信号処理遅延調整スイッチ１４０は、変調方式の切り替え時刻０と、変調信号選択スイッチ１２０の切り替え時刻ｔ１と、遅延量Δｔｄ１，Δｔｄ２のうち値が小さい遅延量Δｔｄ１とに基づいた時刻ｔ２（＝ｔ１＋Δｔｄ１）で、直交変調部１５１の入力元を、切り替え後の変調方式１に対応するＬＰＦ１３０−１に切り替える。
【００６６】
これにより、変調方式が変調方式２から、変調帯域幅が変調方式２より広い変調方式１に切り替わる場合に、直交変調部１５１に、ベースバンド信号２に連続してベースバンド信号１が入力される。この結果、無信号区間が発生せず、送信信号の欠損を回避することができる。
【００６７】
以上のように、本実施の形態では、ベースバンド変調部１１０は、異なる複数の変調方式に対応し、第１の変調信号（ベースバンド信号１）、又は、第２の変調信号（ベースバンド信号２）のうち、いずれか一方の変調信号を出力する。ここで、第１の変調信号は、変調方式１に対応する変調信号であり、第２の変調信号は、変調帯域幅が第１の変調信号より狭い変調方式２に対応する変調信号である。
【００６８】
ＬＰＦ１３０−１は、第１の変調信号に対して信号処理を行う。ＬＰＦ１３０−２は、遅延量がＬＰＦ１３０−１の遅延量より大きく、第２の変調方式に対して信号処理を行う。無線送信処理部１５０は、信号処理後の第１の変調信号又は第２の変調信号を送信する。変調信号選択スイッチ１２０は、ベースバンド変調部１１０と、ＬＰＦ１３０−１，１３０−２との間に設けられ、変調信号をＬＰＦ１３０−１，１３０−２のいずれか一方に出力する。
【００６９】
信号処理遅延調整スイッチ１４０は、ＬＰＦ１３０−１，１３０−２と無線送信処理部１５０との間に設けられ、信号処理後の第１の変調信号又は第２の変調信号のいずれか一方を無線送信処理部１５０に出力する。
【００７０】
タイミング制御部１６０は、変調方式及び変調方式の切り替えタイミングを設定する。さらに、タイミング制御部１６０は、変調方式の切り替えタイミング及びＬＰＦ１３０−１，１３０−２の遅延量Δｔｄ１，Δｔｄ２に基づいて、遅延量が異なるＬＰＦ１３０−１，１３０−２の前段に設けられた変調信号選択スイッチ１２０の切り替えタイミングと、ＬＰＦ１３０−１，１３０−２の後段に設けられた信号処理遅延調整スイッチ１４０の切り替えタイミングとを異なるタイミングに設定する。より具体的には、タイミング制御部１６０は、遅延量Δｔｄ１及び遅延量Δｔｄ２に基づいて、変調信号選択スイッチ１２０の切り替えタイミングを設定する。さらに、タイミング制御部１６０は、少なくとも第１のスイッチ切り替えタイミング及び遅延量Δｔｄ１に基づいて、信号処理遅延調整スイッチ１４０の切り替えタイミングを、変調信号選択スイッチ１２０の切り替えタイミングと異なるタイミングに設定する。
【００７１】
例えば、タイミング制御部１６０は、変調方式を変調方式１から変調方式２に切り替える場合、変調信号選択スイッチ１２０の切り替えタイミングｔ１からＬＰＦ１３０−１の遅延量Δｔｄ１以上かつＬＰＦ１３０−２の遅延量Δｔｄ２未満のタイミングを、信号処理遅延調整スイッチ１４０の切り替えタイミングに設定する。これにより、変調方式が変調方式１から、変調帯域幅が変調方式１より狭い変調方式２に切り替わる場合に、直交変調部１５１に、第１の変調信号と第２の変調信号とが重複して入力されるのを回避することができる。
【００７２】
また、タイミング制御部１６０は、変調方式を変調方式２から変調方式１に切り替える場合、変調信号選択スイッチ１２０の切り替えタイミングからＬＰＦ１３０−１の遅延量Δｔｄ１だけ経過したタイミングを信号処理遅延調整スイッチ１４０の切り替えタイミングに設定する。これにより、変調方式が変調方式２から、変調帯域幅が変調方式２より広い変調方式１に切り替わる場合に、直交変調部１５１に、第２の変調信号に連続して第１の変調信号が入力されるため、無信号区間が発生せず、送信信号の欠損を回避することができる。
【００７３】
（実施の形態２）
図５は、本発明の実施の形態２に係るマルチモード送信装置２００の要部構成を示すブロック図である。なお、図５の本実施の形態に係るマルチモード送信装置において、図２と共通する構成部分には、図２と同一の符号を付して説明を省略する。図５のマルチモード送信装置２００は、図２のマルチモード送信装置１００に対して、変調信号選択スイッチ１２０を削除し、ベースバンド変調部１１０及びタイミング制御部１６０に代えて、ベースバンド変調部２１０及びタイミング制御部２２０を有する。
【００７４】
ベースバンド変調部２１０は、複数の変調方式（変調方式１及び変調方式２）に対応する。そして、ベースバンド変調部２１０は、後述のタイミング制御部２２０から出力される制御信号２２１に応じて、送信データを変調し、ベースバンド信号（Ｉ，Ｑ信号）を生成する。
【００７５】
実施の形態１では、ベースバンド変調部１１０は、ベースバンド信号１又はベースバンド信号２のうち、いずれか一方を出力した。これに対し、ベースバンド変調部２１０は、変調方式１に対応するベースバンド信号１、及び、変調方式２に対応するベースバンド信号２を並列して生成する。そして、ベースバンド変調部２１０は、ベースバンド信号１又はベースバンド信号２のうち、いずれか一方のみだけを出力したり、ベースバンド信号１及びベースバンド信号２の双方を出力したりする。このように、ベースバンド変調部２１０は、ベースバンド信号１、又は、ベースバンド信号２のうち、少なくとも一方を信号処理遅延調整スイッチ１４０に出力する。なお、ベースバンド変調部２１０は、変調方式１を用いて生成したベースバンド信号をＬＰＦ１３０−１に出力し、変調方式２に対応するベースバンド信号をＬＰＦ１３０−２に出力する。
【００７６】
タイミング制御部２２０は、ベースバンド変調部２１０の変調方式及び信号処理遅延調整スイッチ１４０を制御する。
【００７７】
具体的には、タイミング制御部２２０は、変調方式及びその切り替えタイミングを示す制御信号２２１をベースバンド変調部２１０に出力する。制御信号２２１については、後述する。
【００７８】
また、タイミング制御部２２０は、直交変調部１５１の入力元の切り替え及びその切り替えタイミングを示す制御信号２２２を信号処理遅延調整スイッチ１４０に出力する。制御信号２２２については、後述する。
【００７９】
以上のように構成されたマルチモード送信装置２００の動作について説明する。
【００８０】
図６、図７は、本実施の形態に係るマルチモード送信装置２００の各部の入出力信号を示す図である。図６、図７には、ベースバンド変調部２１０の出力、信号処理遅延調整スイッチ１４０により選択される経路、及び、直交変調部１５１に入力される変調信号が示されている。上述したように、図６及び図７において、経路１は、ベースバンド信号がＬＰＦ１３０−１を通過する経路を示し、経路２はベースバンド信号がＬＰＦ１３０−２を通過する経路を示している。
【００８１】
なお、図６は、変調方式が変調方式１から変調方式２に変わる場合の例を示し、図７は、変調方式が変調方式２から変調方式１に変わる場合の例を示している。また、上述したように、図６及び図７において、経路１は、ベースバンド信号がＬＰＦ１３０−１を通過する経路を示し、経路２はベースバンド信号がＬＰＦ１３０−２を通過する経路を示している。
【００８２】
以下、具体的な例として、ベースバンド変調部２１０の対応する変調方式をＵＭＴＳ変調方式（以下、変調方式１）とＧＳＭ変調方式（以下、変調方式２）の２種類とし、ＬＰＦ１３０−１が変調方式１に対応した周波数特性を持ち、ＬＰＦ１３０−２が変調方式２に対応した周波数特性を持つ場合の動作について説明する。
【００８３】
初めに、図６を用いて、変調方式が変調方式１から変調方式２に変わる場合の制御方法について説明する。上述したように変調方式１の変調帯域幅が、変調方式２の変調帯域幅より広帯域であるため、ＬＰＦ１３０−１の遅延量Δｔｄ１はＬＰＦ１３０−２の遅延量Δｔｄ２より小さい。
【００８４】
タイミング制御部２２０は、変調方式を変調方式１から変調方式２に切り替える場合、レベルをＨｉｇｈからＬｏｗに変化させた制御信号２２１をベースバンド変調部２１０に出力する。図６は、タイミング制御部２２０からは、時刻０（以下、基準時刻という）で、レベルがＨｉｇｈからＬｏｗに変化する制御信号２２１がベースバンド変調部２１０に出力された例である。
【００８５】
ベースバンド変調部２１０は、時刻０（基準時刻）にレベルがＨｉｇｈからＬｏｗに変化する制御信号２２１を受け取ると、変調方式１に対応するベースバンド信号１、及び、変調方式２に対応するベースバンド信号２を並列して生成する。すなわち、ベースバンド変調部２１０は、時刻０（基準時刻）で変調方式の切り替え指示を受けとると、ベースバンド信号１に加えてベースバンド信号２を生成する。そして、ベースバンド変調部２１０は、生成したベースバンド信号１をＬＰＦ１３０−１に出力し、生成したベースバンド信号２をＬＰＦ１３０−２に出力する。
【００８６】
ここで、ベースバンド変調部２１０が、時刻０で変調方式の切り替え指示を受けてから、送信データに対して変調方式２を用いて変調しベースバンド信号２を生成し、ベースバンド信号２をＬＰＦ１３０−２に出力するまでに要する時間をｔ１とする。
【００８７】
なお、ベースバンド変調部２１０は、変調方式１を用いる場合には、変調方式２を用いる場合に対して、ＬＰＦ１３０−１とＬＰＦ１３０−２の遅延量の差（Δｔｄ２−Δｔｄ１）を考慮したタイミングで、送信データを変調する。具体的には、ベースバンド変調部２１０は、変調方式１及び変調方式２のいずれを用いる場合においても、変調方式の切り替え指示を受け付けてから、時刻ｔ１で異なる変調方式を用いて変調されたベースバンド信号が出力するように、変調タイミングを予め調整している。したがって、変調方式の切り替え指示を受け取る時刻０からｔ１だけ遅れた時刻ｔ１に、切り替え後のベースバンド信号がベースバンド変調部２１０から出力される。
【００８８】
つまり、ベースバンド変調部２１０は、時刻ｔ１まではベースバンド信号１のみを出力し、時刻ｔ１以降はベースバンド信号１に加えてベースバンド信号２を出力する。このように、ベースバンド変調部２１０は、時刻０に変調信号の切り替え指示を受けてからｔ１だけ経過した時刻ｔ１以降、出力するベースバンド信号の数を１から２に切り替える。上述したように、ベースバンド変調部２１０は、変調方式の切り替え指示を受け取る時刻０からｔ１だけ遅れた時刻ｔ１に、切り替え後のベースバンド信号がベースバンド変調部２１０から出力されるよう、予め変調タイミングを調整している。
【００８９】
このように、変調方式の切り替えタイミング（時刻０）からｔ１だけ遅れた時刻ｔ１が、ベースバンド変調部２１０から出力されるベースバンド信号の数（出力数）が１から２に切り替えられるタイミング（以下「変調信号出力数切り替えタイミング」ともいう）となる。したがって、変調方式の切り替えタイミングを設定することは、変調信号出力数切り替えタイミングを設定することになる。
【００９０】
そして、ＬＰＦ１３０−１において、ベースバンド信号１が帯域制限され、ＬＰＦ１３０−２において、ベースバンド信号２が帯域制限される。帯域制限されたベースバンド信号１及びベースバンド信号２は、信号処理遅延調整スイッチ１４０に出力される。
【００９１】
次に、タイミング制御部２２０は、帯域制限されたベースバンド信号２を直交変調部１５１に出力させるため、レベルをＨｉｇｈからＬｏｗに変化させた制御信号２２２を信号処理遅延調整スイッチ１４０に出力する。なお、タイミング制御部２２０は、時刻ｔ３でレベルがＨｉｇｈからＬｏｗに変化する制御信号２２２を信号処理遅延調整スイッチ１４０に出力する。ここで、時刻ｔ３は、時刻ｔ１から遅延量Δｔｄ２だけ経過した時刻（ｔ３＝ｔ１＋Δｄｔ２）とする。遅延量Δｔｄ２は、ベースバンド信号２がＬＰＦ１３０−２に入力してからＬＰＦ１３０−２から出力されるまでの時間、すなわち、ＬＰＦ１３０−２における遅延量である。
【００９２】
信号処理遅延調整スイッチ１４０は、制御信号２２２のレベルがＨｉｇｈからＬｏｗに変化する時刻ｔ３（＝ｔ１＋Δｔｄ２）で、直交変調部１５１の入力元をＬＰＦ１３０−１からＬＰＦ１３０−２に切り替える。すなわち、時刻ｔ３（＝ｔ１＋Δｔｄ２）以降、ＬＰＦ１３０−２において帯域制限されたベースバンド信号２が、直交変調部１５１に出力される。
【００９３】
なお、時刻０から時刻ｔ３までの間、ベースバンド変調部２１０は、ベースバンド信号１を出力する。また、時刻０から時刻ｔ３までの間、信号処理遅延調整スイッチ１４０は、直交変調部１５１の入力元をＬＰＦ１３０−１とする。すなわち、この間、ＬＰＦ１３０−１において帯域制限されたベースバンド信号１が、直交変調部１５１に出力される。
【００９４】
このように、信号処理遅延調整スイッチ１４０は、時刻ｔ３で直交変調部１５１の入力元をＬＰＦ１３０−１からＬＰＦ１３０−２に切り替える。このとき、ＬＰＦ１３０−２において帯域制限されたベースバンド信号２が直交変調部１５１に到着するのは、時刻ｔ３（＝ｔ１＋Δｔｄ２）である。ここで、Δｔｄ２は、ＬＰＦ１３０−２の遅延量である。
【００９５】
実施の形態１では、時刻ｔ２から時刻ｔ３まで、ＬＰＦ１３０−２から直交変調部１５１に無信号が入力された。これに対し、本実施の形態では、時刻ｔ１から時刻ｔ３の間、ベースバンド変調部２１０は、ベースバンド信号１とベースバンド信号２の双方を出力する。そのため、時刻ｔ３までは、ＬＰＦ１３０−１から直交変調部１５１にはベースバンド信号１が入力され、時刻ｔ３以降、ＬＰＦ１３０−２から直交変調部１５１にベースバンド信号２が入力される（図６参照）。すなわち、本実施の形態では、無信号が入力される区間が発生しない。
【００９６】
このように、タイミング制御部２２０は、ＬＰＦ１３０−２の遅延量Δｔｄ２に基づいた時刻ｔ３（＝ｔ１＋Δｔｄ２）で、直交変調部１５１の入力元を、ＬＰＦ１３０−１からＬＰＦ１３０−２に切り替える。具体的には、タイミング制御部２２０は、ＬＰＦ１３０−２の遅延量Δｔｄ２に基づいた時刻ｔ３（＝ｔ１＋Δｔｄ２）でレベルがＨｉｇｈからＬｏｗに変化する制御信号２２２を信号処理遅延調整スイッチ１４０に出力する。
【００９７】
そして、信号処理遅延調整スイッチ１４０は、時刻ｔ１より遅延量Δｔｄ２だけ遅れた時刻ｔ３（＝ｔ１＋Δｔｄ２）で、直交変調部１５１の入力元をＬＰＦ１３０−１からＬＰＦ１３０−２に切り替える。ここで、時刻ｔ１は、変調方式の切り替え指示を受け取ってからベースバンド信号２がＬＰＦ１３０−２に出力される時刻である。このように、信号処理遅延調整スイッチ１４０は、変調方式の切り替え時刻０と、切り替え時刻ｔ１と、遅延量Δｔｄ１，Δｔｄ２のうち値が大きい遅延量Δｔｄ２とに基づいた時刻ｔ３（＝ｔ１＋Δｔｄ２）で、直交変調部１５１の入力元を、切り替え後の変調方式２に対応するＬＰＦ１３０−２に切り替える。
【００９８】
これにより、変調方式が変調方式１から、変調帯域幅が変調方式１より狭い変調方式２に切り替わる場合に、直交変調部１５１に、ベースバンド信号１とベースバンド信号２とが重複して入力されるのを回避することができる。
【００９９】
信号処理遅延調整スイッチ１４０から出力されるベースバンド信号は、直交変調部１５１でＲＦ帯の送信信号にアップコンバートされ、ＢＰＦ１５２で帯域制限された後、電力増幅器１５３で所望の出力パワーまで増幅され、送信アンテナ１５４から送信される。
【０１００】
次に、図７を用いて、変調方式が変調方式２から変調方式１に変わる場合の制御方法について説明する。
【０１０１】
タイミング制御部２２０は、変調方式を変調方式２から変調方式１に切り替える場合、レベルをＬｏｗからＨｉｇｈに変化させた制御信号２２１をベースバンド変調部２１０に出力する。図７は、タイミング制御部２２０からは、時刻０（基準時刻）で、レベルがＬｏｗからＨｉｇｈに変化する制御信号２２１がベースバンド変調部２１０に出力された例である。
【０１０２】
ベースバンド変調部２１０は、時刻０（基準時刻）にレベルがＬｏｗからＨｉｇｈに変化する制御信号２２１を受け取ると、変調方式１に対応するベースバンド信号１、及び、変調方式２に対応するベースバンド信号２を並列して生成する。すなわち、ベースバンド変調部２１０は、時刻０（基準時刻）で変調方式の切り替え指示を受けとると、ベースバンド信号２に加えてベースバンド信号１を生成する。そして、ベースバンド変調部２１０は、生成したベースバンド信号１をＬＰＦ１３０−１に出力し、生成したベースバンド信号２をＬＰＦ１３０−２に出力する。そして、ＬＰＦ１３０−１において、ベースバンド信号１が帯域制限され、ＬＰＦ１３０−２において、ベースバンド信号２が帯域制限される。
【０１０３】
次に、タイミング制御部２２０は、帯域制限されたベースバンド信号１を直交変調部１５１に出力させるため、レベルをＬｏｗからＨｉｇｈに変化させた制御信号２２２を信号処理遅延調整スイッチ１４０に出力する。なお、タイミング制御部１６０は、時刻ｔ２でレベルがＬｏｗからＨｉｇｈに変化する制御信号２２２を信号処理遅延調整スイッチ１４０に出力する。ここで、時刻ｔ２は、上述したように、時刻ｔ１から遅延量Δｔｄ１だけ経過した時刻（ｔ２＝ｔ１＋Δｄｔ１）とする。
【０１０４】
信号処理遅延調整スイッチ１４０は、制御信号２２２のレベルがＬｏｗからＨｉｇｈに変化する時刻ｔ２（＝ｔ１＋Δｔｄ１）で、直交変調部１５１の入力元をＬＰＦ１３０−２からＬＰＦ１３０−１に切り替える。すなわち、時刻ｔ２（＝ｔ１＋Δｔｄ１）以降、ＬＰＦ１３０−１において帯域制限されたベースバンド信号１が、直交変調部１５１に出力される。
【０１０５】
なお、時刻０から時刻ｔ２までの間、ベースバンド変調部２１０は、ベースバンド信号２を出力する。また、時刻０から時刻ｔ２までの間、信号処理遅延調整スイッチ１４０は、直交変調部１５１の入力元をＬＰＦ１３０−２とする。すなわち、この間、ＬＰＦ１３０−２において帯域制限されたベースバンド信号２が、直交変調部１５１に出力される。
【０１０６】
このように、信号処理遅延調整スイッチ１４０は、時刻ｔ２で直交変調部１５１の入力元をＬＰＦ１３０−２からＬＰＦ１３０−１に切り替える。このとき、ＬＰＦ１３０−１において帯域制限されたベースバンド信号１が直交変調部１５１に到着するのは、時刻ｔ２（＝ｔ１＋Δｔｄ１）である。つまり、時刻ｔ２までは、ＬＰＦ１３０−２から直交変調部１５１にはベースバンド信号２が入力され、時刻ｔ２以降、ＬＰＦ１３０−１から直交変調部１５１にベースバンド信号１が入力される（図７参照）。
【０１０７】
このように、タイミング制御部２２０は、ＬＰＦ１３０−１の遅延量Δｔｄ１に基づいた時刻ｔ２（＝ｔ１＋Δｔｄ１）で、直交変調部１５１の入力元を、ＬＰＦ１３０−２からＬＰＦ１３０−１に切り替える。具体的には、タイミング制御部２２０は、ＬＰＦ１３０−１の遅延量Δｔｄ１に基づいた時刻ｔ２（＝ｔ１＋Δｔｄ１）でレベルがＬｏｗからＨｉｇｈに変化する制御信号２２２を信号処理遅延調整スイッチ１４０に出力する。
【０１０８】
そして、信号処理遅延調整スイッチ１４０は、変調信号選択スイッチ１２０の切り替え時刻ｔ１より遅延量Δｔｄ１だけ遅れた時刻ｔ２（＝ｔ１＋Δｔｄ１）で、直交変調部１５１の入力元をＬＰＦ１３０−２からＬＰＦ１３０−１に切り替える。このように、信号処理遅延調整スイッチ１４０は、変調方式の切り替え時刻０と、変調信号選択スイッチ１２０の切り替え時刻ｔ１と、遅延量Δｔｄ１，Δｔｄ２のうち値が小さい遅延量Δｔｄ１とに基づいた時刻ｔ２（＝ｔ１＋Δｔｄ１）で、直交変調部１５１の入力元を、切り替え後の変調方式１に対応するＬＰＦ１３０−１に切り替える。
【０１０９】
これにより、変調方式が変調方式２から、変調帯域幅が変調方式２より広い変調方式１に切り替わる場合に、直交変調部１５１に、ベースバンド信号２に連続してベースバンド信号１が入力される。この結果、無信号区間が発生せず、送信信号の欠損を回避することができる。
【０１１０】
なお、以上の説明では、タイミング制御部２２０が、時刻ｔ２（＝ｔ１＋Δｔｄ１）でレベルがＬｏｗからＨｉｇｈに変化する制御信号２２２を信号処理遅延調整スイッチ１４０に出力する場合について説明したが、これに限られない。タイミング制御部２２０が、時刻ｔ２（＝ｔ１＋Δｔｄ１）から時刻ｔ３（＝ｔ１＋Δｔｄ２）までの間に、レベルがＬｏｗからＨｉｇｈに変化する制御信号２２２を信号処理遅延調整スイッチ１４０に出力するようにしてもよい。例えば、タイミング制御部２２０が、時刻ｔ３で、レベルがＬｏｗからＨｉｇｈに変化する制御信号２２２を信号処理遅延調整スイッチ１４０に出力するようにすると、変調方式の切り替え方向に関わらず、切り替えタイミングを統一することができる。この結果、タイミング制御部２２０は、切り替え方向に関わらず、同一の制御信号２２２を用いることができるため、制御信号の生成に要する処理を抑えることができる。
【０１１１】
以上のように、本実施の形態では、ベースバンド変調部２１０は、異なる複数の変調方式に対応し、第１の変調信号（ベースバンド信号１）、及び、第２の変調信号（ベースバンド信号２）を並列して生成し、少なくともいずれか一方の変調信号を出力する。ここで、第１の変調信号は、変調方式１に対応する変調信号であり、第２の変調信号は、変調帯域幅が第１の変調信号より狭い変調方式２に対応する変調信号である。
【０１１２】
ＬＰＦ１３０−１は、第１の変調信号に対して信号処理を行う。ＬＰＦ１３０−２は、遅延量がＬＰＦ１３０−１の遅延量より大きく、第２の変調方式に対して信号処理を行う。無線送信処理部１５０は、信号処理後の第１の変調信号又は第２の変調信号を送信する。
【０１１３】
信号処理遅延調整スイッチ１４０は、遅延量が異なるＬＰＦ１３０−１，１３０−２と無線送信処理部１５０との間に設けられ、信号処理後の第１の変調信号又は第２の変調信号のいずれか一方を無線送信処理部１５０出力する。
【０１１４】
タイミング制御部２２０は、変調方式を設定し、ＬＰＦ１３０−１，１３０−２の遅延量Δｔｄ１，Δｔｄ２に基づいて、変調方式の切り替えタイミングを設定する。上述したように、変調方式の切り替えタイミング（時刻０）が設定されると、ベースバンド変調部２１０から出力されるベースバンド信号数（出力数）を１から２に切り替えるタイミング（変調信号出力数切り替えタイミング）が設定される。具体的には、ＬＰＦ１３０−１，１３０−２の遅延量Δｔｄ１，Δｔｄ２に基づいて、変調信号出力数切り替えタイミングが設定される。
【０１１５】
さらに、タイミング制御部２２０は、信号処理遅延調整スイッチ１４０の切り替えタイミングを、変調方式の切り替えタイミング（すなわち、変調信号出力数切り替えタイミング）、及び、ＬＰＦ１３０−１，１３０−２の遅延量Δｔｄ１，Δｔｄ２のいずれか一方に基づいて設定する。
【０１１６】
例えば、タイミング制御部２２０は、変調方式を変調方式１から変調方式２に切り替える場合、第２変調信号がベースバンド変調部２１０から出力されるタイミングからＬＰＦ１３０−２の遅延量Δｔｄ２だけ経過したタイミングを信号処理遅延調整スイッチ１４０の切り替えタイミングに設定する。これにより、変調方式が変調方式１から、変調帯域幅が変調方式１より狭い変調方式２に切り替わる場合に、直交変調部１５１に第１の変調信号と第２の変調信号とが重複して入力されるのを回避することができる。
【０１１７】
また、タイミング制御部２２０は、変調方式を第２変調方式から第１変調方式に切り替える場合、第１変調信号がベースバンド変調部２１０から出力されるタイミングからＬＰＦ１３０−１の遅延量Δｔｄ１以上かつＬＰＦ１３０−２の遅延量Δｔｄ２以下のタイミングを信号処理遅延調整スイッチ１４０の切り替えタイミングに設定する。これにより、変調方式が変調方式２から、変調帯域幅が変調方式２より広い変調方式１に切り替わる場合に、直交変調部１５１に、第２の変調信号に連続して第２の変調信号が入力されるため、無信号区間が発生せず、送信信号の欠損を回避することができる。
【０１１８】
なお、以上の説明では、ベースバンド変調部１１０，２１０が、ベースバンド帯で動作する場合について説明した。この場合には、第１及び第２スイッチは、ベースバンド帯の信号を扱うため、第１及び第２スイッチにおける特性劣化を抑圧することができる。
【０１１９】
しかし、ベースバンド変調部１１０，２１０が、ＲＦ帯で動作する場合においても、本発明を適用することができる。この場合には、マルチモード送信装置１００，２００全体の遅延量を調整することができる。
【０１２０】
また、以上の説明では、切り替え信号のレベルがＨｉｇｈからＬｏｗに変化する場合に、経路１から経路２に切り替える場合について説明したが、切り替え信号のレベルがＬｏｗからＨｉｇｈに変化する場合に、経路１から経路２に切り替えるようにしてもよい。
【０１２１】
また、以上の説明では、第１の変調方式がＵＭＴＳ変調であり、第２の変調方式がＧＳＭ変調である場合を例に説明したが、これに限られず、他の変調方式でもよい。また、ベースバンド変調部１１０，２１０が対応可能は変調方式を２種類としたが、３種類以上でもよい。
【０１２２】
また、以上の説明では、ＬＰＦ１３０−１，１３０−２の遅延量の差に起因して、ベースバンド信号がＬＰＦ１３０−１を通過する経路１とＬＰＦ１３０−２を通過する経路２とで遅延量に差がある場合を例に説明した。しかし、ＬＰＦ１３０−１，１３０−２以外の信号処理部であっても、経路１と経路２との間で遅延量に影響を与える場合には、本発明を適用することができる。
【産業上の利用可能性】
【０１２３】
本発明に係るマルチモード送信装置は、複数のディジタル信号処理された信号を異なる遅延量を持つ複数の経路で信号処理する、マルチモード送信装置等として有用である。
【符号の説明】
【０１２４】
１００，２００  マルチモード送信装置
１１０，２１０  ベースバンド変調部
１２０  変調信号選択スイッチ
１３０−１，１３０−２  ローパスフィルタ（ＬＰＦ：Low Pass Filter）
１４０  信号処理遅延調整スイッチ
１５０  無線送信処理部
１５１  直交変調部
１５２  帯域制限フィルタ（ＢＰＦ：Band Pass Filter）
１５３  電力増幅器
１５４  アンテナ
１６０，２２０  タイミング制御部
【図１】
2012060364.tif 000003
【図２】
2012060364.tif 000004
【図３】
2012060364.tif 000005
【図４】
2012060364.tif 000006
【図５】
2012060364.tif 000007
【図６】
2012060364.tif 000008
【図７】
2012060364.tif 000009